(57)【要約】      （修正有）【課題】従来の車椅子等には背もたれにポケットはついていますが、買物したい商品は入らないという問題点があります。【解決手段】可撓性のある薄板で作成した買物カゴの載置具を車椅子等の押手Ｂに装着します。載置具押手巻付部分３を車椅子等の押手に巻付けボタン穴４にボタン５をはめこめば載置具ははずれません。買物カゴＫを底１に置くことが出来、商品を入れ購入することができます。又買物カゴの他にも載置具側板部分８を取り付ければカバンやハンドバックなどちょっとした荷物も置くことが出来、両手で安全に車椅子等を押すことができます。そして側板部分を付けたまま押手Ｂからはずし押手巻付部分３を左右重ねそれぞれのボタン穴４にボタン５をはめれば買物袋になります。【選択図】図４
0003140237.tif 000002
【実用新案登録請求の範囲】
【請求項１】
車椅子等の押手に着脱自在に装着する買物カゴの載置具。
【請求項２】
車椅子等から載置具を取りはずし、この載置具に側板を付けて買物袋としたことを特徴とする請求項１に記載の載置具。
【考案の詳細な説明】
【技術分野】
【０００１】本考案は、車椅子や乳母車（以下車椅子等と云う）で買物が楽に出来る載置具に関する。
【背景技術】
【０００２】従来の車椅子等には押手に着脱自在に装着する買物カゴの載置具は、ありません。
【考案の開示】
【考案が解決しようとする課題】
【０００３】従来の車椅子等には、背もたれにポケットはついていますが買物したい商品は入りません。このような問題点を解決し、車椅子等を押していても買物が楽に出来るのを目的とするものであります。【０００４】そして本考案は、上記目的を達成するために可撓性のある薄板で作成した買物カゴの載置具を車椅子等の押手に着脱自在に装着できる買物カゴの載置具を装着するものです。【０００５】また第２の課題解決手段は、買物カゴの載置具に側板を取り付ける構成にしたものです。
【考案の効果】
【０００６】本考案の効果は車椅子等に買物カゴの載置具を装着し、スーパーマーケットの買物カゴを置くだけでなく、側板を取り付ければ手に持っているカバンや、ハンドバック、そしてちょっとした小荷物なども置くことが出来ます。それにより両手があき車椅子等を両手で安全に押すことができます。そして側板を取り付けたまま車椅子等の押手から取りはずし買物袋として利用すれば購入した商品を入れて持ち帰ることも出来ます。そして本考案は可撓性のある薄板で作成すれば折りたたむことも出来るので車椅子等の背もたれのポケットに入ります。車椅子等の附属品として常備すれば便利です。又カバンやハンドバックの中にも入りますので携帯用としても便利です。
【考案を実施するための最良の形態】
【０００７】以下、本考案の実施の形態を図１〜図７に基ずいて説明します。【０００８】図１においては、買物カゴの載置具１０を広げて上から見た図です。載置具１０の底部分を１、立ち上り部分を２、押手巻付部分を３、ボタン穴を４、ボタンを５、載置具１０の底部分１と立ち上り部分２の堺目にぬい目６を、載置具底部分１の手前と向側にマヂックテープ７を配した図です。この図でのボタン５は押手巻付部分３に片１方は上にもう１方は下につけます。【０００９】図２においては、買物カゴの載置具を車椅子等に装着した後観図です。載置具押手巻付部分３を車椅子押手Ｂに巻付てボタン穴４にボタン５をはめ載置具底部分１に買物カゴＫを置いた状態の図です。買物カゴを置いた載置具は背もたれＣと両脇にある後輪Ｅとの間に収まります。この時は載置具１０には、図５に示す側板部分８は取り付けていません。【００１０】図３においては車椅子に買物カゴの載置具１０を装着した横断面図です。この図でも側板部分８は取り付けていません。【００１１】図４においては、車椅子に買物カゴの載置具１０を装着し、載置具底部分１に買物カゴＫを置いた全体図です。図１で示したようにボタン５を押手巻付部分３に１方は上に、もう１方は下につけていれば押手Ｂに対して押手巻付部分３は、１方は外側から内側にもう１方は内側から外側に回してボタン穴４にボタン５をはめ、車椅子に買物カゴの載置具１０を装着します。そして買物カゴＫを車椅子背もたれＣと載置具の左右両方の立上り部分２の間の買物カゴの載置具底部分１に置きます。この時も載置具に側板部分８は取り付けていません。【００１２】図５においては買物カゴの載置具の側板部分８の側面図です。側板部分８にも載置具底１と立ち上り部分２と重なる所にマヂックテープ７をつけます。そして側板部分８の底１と立ち上り部分２の角に当る部分に切り込みを入れ直角１１になるように切りとります。又側板部分８の上部９より少し下ぐらいの所に、側板部分８の上部の９の巾の寸法より少し小さめの寸法にしてゴム１２を上部９の巾ぐらいにのばしてぬいつけます。【００１３】図６においては買物カゴの載置具に側板部分８を取り付け車椅子に装着した図です。買物カゴＫは置いていません。側板部分８を車椅子背もたれＣ側にも取り付ければ、手に持っているカバンやハンドバック、ちょっとした小荷物なども入れる事ができます。【００１４】図７においては、買物カゴの載置具に側板部分８を取りつけたまま車椅子押手Ｂからはずして買物袋とした図です。車椅子押手Ｂから取りはずした押手巻付部分３を側板部分８の上部９の中央上で左右上下に重ねボタン穴４とボタン５を上下たがいちがいにはめれば押手巻付部分３がつながり買物袋の持手になります。そして上部のゴム１２も元の寸法にもどりちぢみますので、買物袋の口も小さくなり商品が落ちません。
【図面の簡単な説明】
【００１５】
【図１】買物カゴの載置具を広げて上から見た上観図
【図２】車椅子に買物カゴの載置具を装着し買物カゴを置いた後観図
【図３】車椅子に買物カゴの載置具を装着し買物カゴを置いた横断面図
【図４】車椅子に買物カゴの載置具を装着し買物カゴを置いた全体図
【図５】買物カゴの載置具の側板部分の側面図
【図６】買物カゴの載置具に側板部分をとりつけ車椅子に装着した後観図
【図７】買物カゴの載置具に側板部分を取りつけ買物袋とした側面図
【符号の説明】
Ａ  車椅子の座席
Ｂ  車椅子の押手
Ｃ  車椅子の背もたれ
Ｄ  背もたれのポケット
Ｅ  車椅子の後輪
Ｆ  車椅子の前輪
Ｋ  買物カゴ
１  買物カゴの載置具底部分
２  買物カゴの載置具立ち上り部分
３  車椅子等の押手巻付部分
４  押手巻付部分ボタン穴
５  押手巻付部分ボタン
６  買物カゴの載置具底部分と立ち上り部分の堺目のぬい目
７  買物カゴの載置具と側板部分との取り付け用マヂックテープ
８  買物カゴの載置具側板部分
９  買物カゴの載置具側板部分上部
１０  載置具
１１  買物カゴの載置具側板部分の切り込み
１２  ゴム
【図１】
0003140237.tif 000003
【図２】
0003140237.tif 000004
【図３】
0003140237.tif 000005
【図４】
0003140237.tif 000006
【図５】
0003140237.tif 000007
【図６】
0003140237.tif 000008
【図７】
0003140237.tif 000009
【手続補正書】
【提出日】平成19年10月30日(2007.10.30)
【手続補正１】
【補正対象書類名】実用新案登録請求の範囲
【補正対象項目名】全文
【補正方法】変更
【補正の内容】
【実用新案登録請求の範囲】
【請求項１】
車椅子等の押手に可撓性のある薄板で、買物カゴを載置出来るぐらいの寸法にした底辺部分の短い方に立ち上り部分を設けその延長上に押手巻付部分を作り、押手巻付部分にボタン穴をあけ、押手に巻付けてボタン穴とちょうど合う所にボタンをつけて、ボタン穴にボタンをはめたりはずしたりすることによって車椅子等の押手に着脱自在に装着することが出来る買物カゴの載置具。
【請求項２】
車椅子等から載置具を取りはずし、この載置具に側板を付けて買物袋としたことを特徴とする請求項１に記載の載置具。
【手続補正２】
【補正対象書類名】明細書
【補正対象項目名】全文
【補正方法】変更
【補正の内容】
【考案の詳細な説明】
【技術分野】
【０００１】本考案は、車椅子や乳母車（以下車椅子等と云う）で買物が楽に出来る載置具に関する。
【背景技術】
【０００２】従来の車椅子等には押手に着脱自在に装着する買物カゴの載置具は、ありません。
【考案の開示】
【考案が解決しようとする課題】
【０００３】従来の車椅子等には、背もたれにポケットはついていますが買物したい商品は入りません。このような問題点を解決し、車椅子等を押していても買物が楽に出来るのを目的とするものであります。【０００４】そして本考案は、上記目的を達成するために可撓性のある薄板で作成した買物カゴの載置具を車椅子等の押手に着脱自在に装着できる買物カゴの載置具を装着するものです。【０００５】また第２の課題解決手段は、買物カゴの載置具に側板を取り付ける構成にしたものです。
【考案の効果】
【０００６】本考案の効果は車椅子等に買物カゴの載置具を装着し、スーパーマーケットの買物カゴを置くだけでなく、側板を取り付ければ手に持っているカバンや、ハンドバック、そしてちょっとした小荷物なども置くことが出来ます。それにより両手があき車椅子等を両手で安全に押すことができます。そして側板を取り付けたまま車椅子等の押手から取りはずし買物袋として利用すれば購入した商品を入れて持ち帰ることも出来ます。そして本考案は可撓性のある薄板で作成すれば折りたたむことも出来るので車椅子等の背もたれのポケットに入ります。車椅子等の附属品として常備すれば便利です。又カバンやハンドバックの中にも入りますので携帯用としても便利です。
【考案を実施するための最良の形態】
【０００７】以下、本考案の実施の形態を図１〜図７に基ずいて説明します。【０００８】図１においては、買物カゴの載置具１０を広げて上から見た図です。
載置具１０の底部分を１、立ち上り部分を２、押手巻付部分を３、ボタン穴を４ボタンを５、載置具１０の底部分１と立ち上り部分２の境目にぬい目６を、載置具底部分１の手前と向側に面ファスナーを配した図です。この図でボタン５は押手巻付部分３に片１方は上にもう１方は下につけます。【０００９】図２においては、買物カゴの載置具を車椅子等に装着した後観図です。載置具押手巻付部分３を車椅子押手Ｂに巻付てボタン穴４にボタン５をはめ載置具底部分１に買物カゴＫを置いた状態の図です。買物カゴを置いた載置具は背もたれＣと両脇にある後輪Ｅとの間に収まります。この時は載置具１０には、図５に示す側板部分８は取り付けていません。【００１０】図３においては車椅子に買物カゴの載置具１０を装着した横断面図です。この図でも側板部分８は取り付けていません。【００１１】図４においては、車椅子に買物カゴの載置具１０を装着し、載置具底部分１に買物カゴＫを置いた全体図です。図１で示したようにボタン５を押手巻付部分３に１方は上に、もう１方は下につけていれば押手Ｂに対して押手巻付部分３は、１方は外側から内側にもう１方は内側から外側に回してボタン穴４にボタン５をはめ、車椅子に買物カゴの載置具１０を装着します。そして買物カゴＫを車椅子背もたれＣと載置具の左右両方の立上り部分２の間の買物カゴの載置具底部分１に置きます。この時も載置具に側板部分８は取り付けていません。【００１２】図５においては、買物カゴの載置具１０に側板部分８の側面図です。
側板部分８にも載置具底１と立ち上り部分２と重なる所に面ファスナーをつけます。そして側板部分８の底１と立ち上り部分２の角に当る部分に切り込みを入れ直角１１になるように切り取ります。又側板部分８の上部９よりも少し下ぐらいの所に側板部分８の上部９の巾の寸法より少し小さめの寸法にしてゴム１２を上部９の巾ぐらいにのばしてぬいつけます。【００１３】図６においては買物カゴの載置具に側板部分８を取り付け車椅子に装着した図です。買物カゴＫは置いていません。側板部分８を車椅子背もたれＣ側にも取り付ければ、手に持っているカバンやハンドバック、ちょっとした小荷物なども入れる事ができます。【００１４】図７においては、買物カゴの載置具に側板部分８を取りつけたまま車椅子押手Ｂからはずして買物袋とした図です。車椅子押手Ｂから取りはずした押手巻付部分３を側板部分８の上部９の中央上で左右上下に重ねボタン穴４とボタン５を上下たがいちがいにはめれば押手巻付部分３がつながり買物袋の持手になります。そして上部のゴム１２も元の寸法にもどりちぢみますので、買物袋の口も小さくなり商品が落ちません。
【図面の簡単な説明】
【００１５】
【図１】買物カゴの載置具を広げて上から見た上観図
【図２】車椅子に買物カゴの載置具を装着し買物カゴを置いた後観図
【図３】車椅子に買物カゴの載置具を装着し買物カゴを置いた横断面図
【図４】車椅子に買物カゴの載置具を装着し買物カゴを置いた全体図
【図５】買物カゴの載置具の側板部分の側面図
【図６】買物カゴの載置具に側板部分をとりつけ車椅子に装着した後観図
【図７】買物カゴの載置具に側板部分を取りつけ買物袋とした側面図
【符号の説明】
Ａ  車椅子の座席
Ｂ  車椅子の押手
Ｃ  車椅子の背もたれ
Ｄ  背もたれのポケット
Ｅ  車椅子の後輪
Ｆ  車椅子の前輪
Ｋ  買物カゴ
１  買物カゴの載置具底部分
２  買物カゴの載置具立ち上り部分
３  車椅子等の押手巻付部分
４  押手巻付部分ボタン穴
５  押手巻付部分ボタン
６  買物カゴの載置具底部分と立ち上り部分の堺目のぬい目
７  買物カゴの載置具と側板部分との取り付け用面ファスナー
８  買物カゴの載置具側板部分
９  買物カゴの載置具側板部分上部
１０  載置具
１１  買物カゴの載置具側板部分の切り込み
１２  ゴム